(57)【特許請求の範囲】
【請求項１】
縫い目を形成するための針とルーパ等の糸を通した複数の部材と、該夫々の部材に導かれる糸に与える夫々の張力を調整するための複数の糸調子器と、を備えたオーバロックミシンにおいて；
布送りを行う主送り機構と副送り機構とを有する布送り機構（６）と、
該布送り機構の送り量を設定するための手段（７、１４、１６、３５）と、
前記主送り機構と副送り機構の差動量を設定するための手段（８、１５、１７、３６）と、
縫い目を選択するための手段（２１）と、
縫い目に対応した糸調子設定データを記憶した手段（３３）と、
選択された縫い目に対応する糸調子器を、該記憶した手段からの糸調子設定データに基づいて自動調整するための手段（３４、１２、１３）と、
前記各部材に対応して自動調整された糸調子器の糸調子を任意に設定するための手段（２８）と、
該任意に設定するための手段により設定された糸調子に基づいて対応する糸調子器を調整駆動するための手段（１２、１３）と、
前記選択された縫い目について設定された前記送り量と、差動量と、これらに対して前記任意に設定するための手段により設定された糸調子とを当該縫い目に対応して記憶するための手段（９）と、
該記憶するための手段に記憶させるための手段（４２）と、
該記憶するための手段に記憶された内容を読み出すための手段（４３）と、
を備えたことを特徴とするオーバロックミシン。
【請求項２】
布の種類と糸の種類及び布の枚数を入力する手段を更に備え、
該入力された布の種類と糸の種類及び布の枚数とを前記糸調子と送り量及び差動量と共に記憶するための手段に記憶させる、
請求項１に記載のオーバロックミシン。
【請求項３】
前記縫い目を選択するための手段により選択された縫い目に対応して、前記記憶するための手段から記憶された内容が読み出し可能である、
請求項１又は２に記載のオーバロックミシン。
【請求項４】
前記糸調子設定データを記憶した手段の糸調整設定データに基づき、該データを任意に修正する手段と、該修正データにより糸調子器を調整する手段を、更に備えた
請求項１〜３いずれか１項に記載のオーバロックミシン。
【発明の詳細な説明】
【０００１】
【発明の属する技術分野】
この発明は、オーバロックミシンに関する。
【０００２】
【従来の技術】
オーバロックミシンにおいて、縫い目形態を構成するためには、１本又は２本の針と上ルーパ及び下ルーパ等の器具を必要とし、また機種によってはこれらに加えて２重環ルーパ等の４〜５個の器具を必要とする。そして、これらの器具に導かれる糸の糸調子器を器具毎に備え、各糸調子器毎に調整する必要がある。
また、布送りに関しても主送りと副送りの調整及びこれらの差動量の調整を行う必要がある。
これらの調整は従来は全てユーザが個々に調整していたが、近年縫い目形態に応じてこれらを自動的に調整したり、或いは標準的な調整値を表示したりできるオーバロックミシンが市販されている。
【０００３】
【発明が解決しようとする課題】
しかし、上記した従来の自動調整式のオーバロックミシンでは、予めメーカが用意した自動調整値に基づく設定しかできない欠点があった。この自動調整値をユーザが修正して設定する機能を備えたものもあるが、修正値はその時にしか使用することができず、ユーザが独自の調整値を設定し、繰り返し使用することができない問題があった。
本発明は上記従来技術の欠点を改善することを目的とする。
【０００４】
【課題を解決するための手段】
そこで発明者は、前記課題を解決すべく、鋭意、研究を重ねた結果、その発明を、縫い目を形成するための針とルーパ等の糸を通した複数の部材と、該夫々の部材に導かれる糸に与える夫々の張力を調整するための複数の糸調子器と、を備えたオーバロックミシンにおいて；布送りを行う主送り機構と副送り機構とを有する布送り機構（６）と、該布送り機構の送り量を設定するための手段（７、１４、１６、３５）と、前記主送り機構と副送り機構の差動量を設定するための手段（８、１５、１７、３６）と、縫い目を選択するための手段（２１）と、縫い目に対応した糸調子設定データを記憶した手段（３３）と、選択された縫い目に対応する糸調子器を、該記憶した手段からの糸調子設定データに基づいて自動調整するための手段（３４、１２、１３）と、前記各部材に対応して自動調整された糸調子器の糸調子を任意に設定するための手段（２８）と、該任意に設定するための手段により設定された糸調子に基づいて対応する糸調子器を調整駆動するための手段（１２、１３）と、前記選択された縫い目について設定された前記送り量と、差動量と、これらに対して前記任意に設定するための手段により設定された糸調子とを当該縫い目に対応して記憶するための手段（９）と、該記憶するための手段に記憶させるための手段（４２）と、該記憶するための手段に記憶された内容を読み出すための手段（４３）と、を備えたことを特徴とするオーバロックミシンとする、ことにより課題を解決した。
さらに本発明は、布の種類と糸の種類及び布の枚数を入力する手段を更に備え、
該入力された布の種類と糸の種類及び布の枚数とを前記糸調子と送り量及び差動量と共に記憶するための手段に記憶させる、ことで、課題を解決することができた。
さらに本発明は、前記縫い目を選択するための手段により選択された縫い目に対応して、前記記憶するための手段から記憶された内容が読み出し可能とすることで、課題を解決することができた。
さらに本発明は、前記糸調子設定データを記憶した手段の糸調整設定データに基づき、該データを任意に修正する手段と、該修正データにより糸調子器を調整する手段を、備えることで、課題を解決することができた。
【０００５】
【発明の実施の形態】
以下本発明の実施の形態を図面に基づいて説明する。
図１は機能ブロック図、図２は外観斜視図である。
ＣＰＵ５０はこのオーバロックミシン全体の制御を行っており、例えばＳ／Ｓキー５７及びスピードコントローラ５８からの指令に応じてミシンモータ駆動回路５３を制御し、ミシンモータ５４を介して縫い目形成機構５５により縫いを実行させるようになっている。縫い目形成機構５５には図２に示すように２本の針１、１が設けられており、この２本又は１本の針１により縫いが実行されるようになっている。５１は基本的な動作を制御するためのプログラムを記憶する記憶装置である。また５２は一時記憶装置である。
図２において、アーム部の正面側には液晶表示と透明接触スイッチからなるタッチパネル２０が設けられており、後述するようにこのタッチパネル２０を介して種々の表示及び操作指令の入力がなされるようになっている。
また本体の正面側には複数の糸溝６０が設けられており、この近傍には夫々ＬＥＤ６１が設けられ、使用する器具に応じた糸溝６０がＬＥＤ６１により指示されるようになっている。
【０００６】
タッチパネル２０は表示部とこれに重ねられた操作部を有しており、ＣＰＵ５０は表示制御装置１８を介して種々の表示を表示部に行わせると共に、操作部からの操作指令に従って種々の制御を行うようになっている。操作部からの指令は表示部の表示状態により異なるため、操作内容判別装置３２により操作部の操作の内容が判別されるようになっている。
【０００７】
タッチパネル２０には、表示データ記憶装置３０に記憶された縫い目形態の表示が表示されるようになっている。図３はその表示の一例を示すものであり、合計１５の縫い目形態の種類が縫い目形態表示／キー２１によって表示されるようになっている。２２は次画面指定表示／キーであって、この次画面指定表示／キー２２をタッチすることにより画面が（Ａ）（Ｂ）（Ｃ）の順に切り替わるようになっている。
また、スタック呼出しキー２９は後述するように一時的にスタックされた内容を呼び出すためのキーである。
【０００８】
図３に示す画面において、縫い目形態表示／キー２１により縫い目形態が選択されると、該選択操作は操作内容判別装置３２により解読されて、ＣＰＵ５０に送られ、所定の処理が行われるようになっている。
ＣＰＵ５０は選択された縫い目形態に応じた縫い目データを縫い目形態データ記憶装置３１から読み込んで、一時記憶装置５２に一時記憶すると共に、設定制御装置１０を制御して選択した縫い目形態の形成に使用する器具を稼働状態とするように構成されている。即ち、ここでは上ルーパ２と下ルーパ３及び２重環ルーパ４の中、選択した縫い目形態に対応するものをアクチュエータ１１により稼働状態とするようになっている。
【０００９】
同時に、ＣＰＵ５０は糸調子設定データ記憶装置３３から選択した縫い目形態に対応した標準的な糸調子のデータを読み出し、このデータに応じて糸調子制御装置１２、アクチュエータ１３により使用する各器具の糸調子器５の糸調子を自動的に設定するようになっている。
この実施形態では更に糸種指定装置３７を備えており、タッチパネル２０に選択された縫い目形態に適合する糸種を表示するようになっている。
【００１０】
また図２に示すように、本体の側部には送り量設定ダイアル１６と差動量設定ダイアル１７が設けられており、布の送り量と差動量をユーザが設定できるようになっている。この設定値は送り量設定装置３５と差動量設定装置３６に送られ、ここから送り量設定制御装置１４と差動設定制御装置１５に夫々指令信号が出力され、アクチュエータ７とアクチュエータ８を介して送り機構６の送り量と差動量とを設定するようになっている。
【００１１】
図４に縫い目形態が選択されたときのタッチパネル２０の表示の一例を示す。選択縫い目形態表示２３が表示されると共に、糸調子設定データ記憶装置３３に記憶された標準的な糸調子が自動設定されていることが自動糸調子表示２４により示されている。
タッチパネル２０の下側には固定された絵により器具表示２７が描かれており、ここでは針１、針２と上ルーパ２，下ルーパ３及び２重環ルーパ４が絵と色により区分されて表示されている。
該器具表示２７の直上には糸種類指定表示２６がなされており、各器具に適合する糸種が示されるようになっている。そして、糸種が示されていない器具表示２７は選択された縫い目形態では使用しないことを意味するようになっている。ここでは、２重環ルーパ４を使用しないため、２重環ルーパ４に相当する糸種類指定表示２６は空欄になっている。
【００１２】
タッチパネル２０には更に送り量表示４５と差動量表示４６の表示がなされており、その推奨値４７と設定値４８が上下に分けて表示されるようになっている。設定値４８は前記した送り量設定ダイアル１６と差動量設定ダイアル１７の操作により変化し、ユーザは推奨値４７を見ながら、これに適合するように送り量設定ダイアル１６と差動量設定ダイアル１７を操作できるようになっている。
【００１３】
図５は異なる縫い目形態が選択された場合のタッチパネル２０の例であり、ここでは針１と２重環ルーパ４が使用されないことが示されている。
なお、図４と図５において、４０は縫い幅切換キーである。
【００１４】
図４と図５において、自動的に設定された糸調子では満足できないときには、マニュアル糸調子選択キー２５をタッチすることにより、糸調子を手動設定できるように構成されている。
ＣＰＵ５０は表示データ記憶装置３０からのデータに基づいてタッチパネル２０に図６に示す表示を行わせるようになっている。
図６は図４の画面においてマニュアル糸調子選択キー２５を操作したときに表れる画面であって、器具表示２７の上に糸調子設定表示／キー２８が表示されるように構成されている。糸調子設定表示／キー２８は使用される器具表示２７の上にのみ表示され、図示するようにプラスとマイナスのキーから構成され、それぞれのキーを操作することにより自動設定された現在の糸調子を増減できるように構成されている。各糸調子設定表示／キー２８の上には更に糸調子数値表示４１が設けられており、現在の糸調子の数値が逐次表示され、ユーザは糸調子の数値を器具表示２７に示された器具と対応させて簡単にしかも明瞭に把握できるように構成されている。
糸調子設定表示／キー２８が操作されると、ＣＰＵ５０は糸調子設定データ生成装置３４に操作に応じた糸調子データを生成させ、このデータに基づいて糸調子制御装置１２を制御して各糸調子器５をアクチュエータ１３により調整するようになっている。
【００１５】
図６で設定した糸調子と送り量及び差動量をユーザが繰り返し使用したいときには、記憶指示キー４２を操作することにより、これらの値を図１に示す設定条件記憶装置９に記憶させることができるように構成されている。また、記憶内容は記憶読み出しキー４３を操作することにより選択した縫い目形態と対応させていつでも呼び出せるようになっている。
図７は記憶指示キー４２を操作したときの画面を示すもので、画面Ａにおいて、更に布種キー７０、糸種キー７１、布枚数キー７２が表示され、それぞれを操作することにより、画面Ｃにおいて布種入力キー７３により布の種類を入力し、画面Ｄにおいて糸種入力キー７４により糸の種類を入力し、画面Ｅにおいて布枚数入力キー７５により布の枚数を入力するようになっている。
そして、再度記憶指示キー４２を操作することにより画面Ｂに移行し、ここでメモリ領域選択キー７６によりメモリ領域を選択して、上記した諸条件を記憶させるように構成されている。
なお、７９はリターンキーである。
【００１６】
図８に設定条件記憶装置９の構造を示す。設定条件記憶装置９は各縫い目形態毎にＭ１からＭｎまでの複数のメモリ領域を備えており、各領域に糸調子、送り量、差動量、布種、布枚数、糸種、の設定値を記憶するように構成されている。この設定条件記憶装置９の記憶内容を呼び出す際には、図６に示す画面で記憶読み出しキー４３を操作して呼び出すようになっている。この時、図６の画面では縫い目形態は既に選択されているから、図８の対応する縫い目形態の記憶内容だけが読み出し可能となり、ユーザはメモリ領域だけを指定すれば該当のものを読み出せるように構成されている。
【００１７】
なお、この実施形態においては、図１に示すようにスタックメモリ３８を備えており、図３乃至図８において、ユーザが設定した内容を逐次記憶するように構成されている。この構成により設定途中に電源オフ等になっても、直前の設定内容をスタック呼出しキー２９により簡単に呼び出すことが可能になる。
【００１８】
図９のフローチャート図によりこの実施形態の動作を説明する。
最初に図３に示すような縫い目形態表示がなされ（ステップＳ１）、次画面指定表示／キー２２により次画面の指示があれば次画面が表示される（ステップＳ２）。そして、縫い目形態の選択がなされると（ステップＳ３）、図４又は図５に示す自動糸調子画面が表示され、選択縫い目形態表示２３、自動糸調子表示２４や器具表示２７の上に糸種類指定表示２６の表示がなされ、糸種と共に使用する器具と使用しない器具が示される。また送り量表示４５と差動量表示４６の表示がなされ、推奨値４７と現在の設定値４８が表示される（ステップＳ４）。ＣＰＵ５０は同時に図２に示すように使用する糸溝６０の近傍のＬＥＤ６１を点灯して、使用する糸溝６０を指示する（ステップＳ５）。そしてユーザが送り量設定ダイアル１６、差動量設定ダイアル１７を操作すると、該操作に対応した設定値４８が表示される（ステップＳ６）。
更に、ユーザがマニュアル糸調子選択キー２５を操作して手動糸調子設定を選択すると（ステップＳ７）、図６に示す画面を表示し（ステップＳ８）、ユーザが糸調子設定表示／キー２８を操作して設定した糸調子を糸調子制御装置１２により設定する（ステップＳ９）。
次いで、ユーザが記憶指示キー４２を操作すると（ステップＳ１０）、図７に示す画面となり、ここで布の種類、糸の種類、布の枚数が入力され（ステップＳ１１）、また記憶領域が指定されると（ステップＳ１２）、該記憶領域に諸条件が記憶される（ステップＳ１３）。
【００１９】
以上説明した実施形態によれば、ユーザが設定した糸調子や布送り量や差動量更に布の種類、糸の種類、布の枚数は、縫い目形態と対応させて記憶することが可能になり、選択した縫い目形態に応じて任意に呼び出すことが可能であるから、ユーザが任意に設定した条件で、繰り返して縫いを実行できる。
また、記憶させない場合にも、自動設定の糸調子をキー操作により器具毎に任意に修正して縫いを実行させることが可能である。
【発明の効果】
以上説明したように本発明のオーバロックミシンによれば、糸調子等の条件をユーザが任意に設定し、これを縫い目形態と対応させて記憶、読み出しが可能であり、ユーザの設定した条件での縫いを繰り返し実行できる効果がある。
【図面の簡単な説明】
【図１】本発明の一実施形態を示す機能ブロック図。
【図２】本発明の一実施形態を示す外観斜視図。
【図３】本発明の一実施形態におけるタッチパネル２０の一形態の説明図。
【図４】本発明の一実施形態におけるタッチパネル２０の他の形態の説明図。
【図５】本発明の一実施形態を示すタッチパネル２０の更に他の形態の説明図。
【図６】本発明の一実施形態を示すタッチパネル２０の更に他の形態の説明図。
【図７】本発明の一実施形態を示すタッチパネル２０の更に他の形態の説明図。
【図８】本発明の一実施形態における設定条件記憶装置９の構造を示す説明図。
【図９】本発明の一実施形態のフローチャート図。
【符号の説明】
１：針、２：上ルーパ、３：下ルーパ、４：２重環ルーパ、５：糸調子器、６：送り機構、７：アクチュエータ、８：アクチュエータ、９：設定条件記憶装置、１０：設定制御装置、１１：アクチュエータ、１２：糸調子制御装置、１３：アクチュエータ、１４：送り量設定制御装置、１５：差動設定制御装置、１６：送り量設定ダイアル、１７：差動量設定ダイアル、１８：表示制御装置、２０：タッチパネル、２１：縫い目形態表示／キー、２２：次画面指定表示／キー、２３：選択縫い目形態表示、２４：自動糸調子表示、２５：マニュアル糸調子選択キー、２６：糸種類指定表示、２７：器具表示、２８：糸調子設定表示／キー、２９：スタック呼出しキー、３０：表示データ記憶装置、３１：縫い目形態データ記憶装置、３２：操作内容判別装置、３３：糸調子設定データ記憶装置、３４：糸調子設定データ生成装置、３５：送り量設定装置、３６：差動量設定装置、３７：糸種指定装置、３８：スタックメモリ、４０：縫い幅切換キー、４１：糸調子数値表示、４２：記憶指示キー、４３：記憶読み出しキー、４５：送り量表示、４６：差動量表示、４７：推奨値、４８：設定値、５０：ＣＰＵ、５１：プログラム記憶装置、５２：一時記憶装置、５３：ミシンモータ駆動回路、５４：ミシンモータ、５５：縫い目形成機構、５６：回転センサ、５７：Ｓ／Ｓキー、５８：スピードコントローラ、６０：糸溝、６１：ＬＥＤ、７０：布種キー、７１：糸種キー、７２：布枚数キー、７３：布種入力キー、７４：糸種入力キー、７５：布枚数入力キー、７６：メモリ領域選択キー、７９：リターンキー。
【図１】
0004132139.tif 000002
【図２】
0004132139.tif 000003
【図３】
0004132139.tif 000004
【図４】
0004132139.tif 000005
【図５】
0004132139.tif 000006
【図６】
0004132139.tif 000007
【図７】
0004132139.tif 000008
【図８】
0004132139.tif 000009
【図９】
0004132139.tif 000010